(57)【特許請求の範囲】
【請求項１】
少なくとも１つの機能を持つと共に、その機能に関する複数の動作条件を設定することが可能な画像形成装置であって、
前記動作条件の設定操作に使用される操作部と、
前記操作部にて設定された動作条件の内容に応じて画像処理を行う画像処理部と、
前記操作部及び前記画像処理部を制御する制御部と、
を備え、
前記制御部は、
（i）前記動作条件を前記操作部にて設定することが可能な第１設定モードと、前記動作条件の幾つかについてのみ前記操作部にて設定することが可能な第２設定モードと、の択一的な選択を前記操作部にて可能にさせる処理と、
（ii）前記操作部にて前記第２設定モードが選択されると共にその第２設定モードで可能な条件設定が実行された場合、当該第２設定モードの選択時に設定された動作条件の内容を、前記操作部にて前記第１設定モードが選択されたときには必ず、前記第１設定モードの動作条件に反映させる処理と、
を実行する、画像形成装置。
【請求項２】
前記制御部は、
（iii）前記操作部にて前記第１設定モードが選択されると共にその第１設定モードで可能な条件設定が実行された後、前記操作部にて前記第２設定モードが選択されたとき、その第２設定モードで設定可能な動作条件に対し、前記第１設定モードの選択時に設定された動作条件のうちの対応するものの内容を反映させる処理、
を更に実行する、請求項１に記載の画像形成装置。
【請求項３】
前記制御部は、
（iv）前記操作部にて前記第１設定モードが選択されると共にその第１設定モードで可能な条件設定が実行された後、前記操作部にて前記第２設定モードが選択されたとき、前記第１設定モードの選択時に設定された動作条件の内容を何れも、前記第２設定モードで設定可能な動作条件に反映させずにリセットする処理、
を更に実行する、請求項１に記載の画像形成装置。
【請求項４】
前記操作部にて前記第１設定モードが選択されると共にその第１設定モードで可能な条件設定が実行された後、前記操作部にて前記第２設定モードが選択されたとき、前記制御部は、
（iii）前記第２設定モードで設定可能な動作条件に対し、前記第１設定モードの選択時に設定された動作条件のうちの対応するものの内容を反映させる処理と、
（iv）前記第１設定モードの選択時に設定された動作条件の内容を何れも、前記第２設定モードで設定可能な動作条件に反映させずにリセットする処理と
を、前記操作部から入力される指令に応じて択一的に実行する、請求項１に記載の画像形成装置。
【請求項５】
前記制御部は、
（I）前記第１設定モードで設定可能となる動作条件を、選択可能な状態で、前記操作部が持つ表示部に表示させる処理と、
（II）前記表示部に表示させた動作条件のうち、前記操作部にて選択された動作条件を、前記第２設定モードで設定可能な動作条件として登録する処理と、
を実行する、請求項１〜４の何れか１つに記載の画像形成装置。
【請求項６】
前記第２設定モードの選択時において、前記操作部が持つ表示部には、設定可能な動作条件ごとにアイコンが表示され、
前記制御部は、前記操作部から入力される指令に応じて、前記表示部に表示させる１つの画面に前記アイコンの全てを配するか、又は、前記表示部に表示させる複数の画面に分けて前記アイコンを配する、請求項１〜５の何れか１つに記載の画像形成装置。
【発明の詳細な説明】
【技術分野】
【０００１】
本発明は、画像形成装置に関し、特に動作条件の設定時に適用される技術に関する。
【背景技術】
【０００２】
複合機等の画像形成装置は、コピー機能、ファクシミリ送信機能、スキャン機能、プリンタ機能、イメージ送信機能など、様々な機能を持つと共に、機能ごとに動作条件を設定することが可能である。例えば、コピー機能では、コピー濃度、コピー倍率、コピー枚数、用紙サイズなど、複数の動作条件を設定することが可能である。
【０００３】
この様な動作条件の設定は、タッチディスプレイパネル等に表示される設定画面で実行される。具体的には、その設定画面に、設定可能な動作条件ごとにアイコンが表示される。そして、設定画面にて何れかのアイコンが選択されたとき、そのアイコンに対応した動作条件の詳細設定画面が表示され、その詳細設定画面にて条件設定が行われる。
【先行技術文献】
【特許文献】
【０００４】
【特許文献１】特開２００７−１８１９９３号公報
【発明の概要】
【発明が解決しようとする課題】
【０００５】
近年、画像形成装置の高性能化が進み、コピー機能等の機能ごとに、設定することのできる動作条件が増大する傾向にある。これは、動作条件を詳細に設定することを可能にする。その一方で、設定画面には、ユーザにとって設定頻度の高い動作条件に対応したアイコンと設定頻度の低い動作条件に対応したアイコンとが混在して表示されることになる。このため、設定可能な動作条件の増大は、設定画面での操作を煩わしくさせ、操作性を低下させるという問題を生じていた。
【０００６】
そこで、全てのアイコンを表示させる通常設定画面とは別に、簡易設定画面として、設定頻度の高い動作条件に対応したアイコンのみをタッチディスプレイパネル等に表示させることを可能にした技術が提案されている（例えば、特許文献１参照）。
【０００７】
しかし、上記技術では、簡易設定画面での動作条件の設定後又は設定途中で、簡易設定画面では設定できない動作条件（設定頻度の低い動作条件）の設定が必要になった場合、通常設定画面へ戻ることが必要になると共に、ユーザにとっては煩わしい操作が強要される。即ち、通常設定画面へ戻ったとき、簡易設定画面にて設定された動作条件の内容が全てリセットされてしまい、ユーザは、通常設定画面にて改めて設定し直すことが必要となる。このため、上記提案されている技術では、高い操作性を実現するには至っていない。
【０００８】
そこで本発明の目的は、複数の動作条件を設定することが可能な画像形成装置において、それらの動作条件の設定に関して高い操作性を実現することである。
【課題を解決するための手段】
【０００９】
本発明に係る画像形成装置は、少なくとも１つの機能を持つと共に、その機能に関する複数の動作条件を設定することが可能であり、動作条件の設定操作に使用される操作部と、操作部にて設定された動作条件の内容に応じて画像処理を行う画像処理部と、操作部及び画像処理部を制御する制御部とを備える。そして、制御部は、処理（i）及び（ii）を実行する。即ち、処理（i）において、制御部は、動作条件を操作部にて設定することが可能な第１設定モードと、動作条件の幾つかについてのみ操作部にて設定することが可能な第２設定モードとの択一的な選択を操作部にて可能にさせる。そして、操作部にて第２設定モードが選択されると共にその第２設定モードで可能な条件設定が実行された後、操作部にて第１設定モードが選択されたとき、制御部は、処理（ii）において、第２設定モードの選択時に設定された動作条件の内容を、第１設定モードの動作条件に反映させる。
【００１０】
上記画像形成装置によれば、第２設定モードでの動作条件の設定後又は設定途中で、第１設定モードへ切り替えられた場合であっても、それまでに設定された動作条件の内容は、リセットされることなく、第１設定モードの動作条件に反映される。従って、第１設定モードへの移行後、ユーザは、第２設定モードにて設定した内容を改めて設定し直す必要がない。
【００１１】
上記画像形成装置の具体的な構成において、制御部は、処理（iii）を更に実行する。即ち、操作部にて第１設定モードが選択されると共にその第１設定モードで可能な条件設定が実行された後、操作部にて第２設定モードが選択されたとき、制御部は、処理（iii）において、第２設定モードで設定可能な動作条件に対し、第１設定モードの選択時に設定された動作条件のうちの対応するものの内容を反映させる。
【００１２】
この構成によれば、第１設定モードから第２設定モードへ切り替えられたとき、第１設定モードで設定された動作条件のうち第２設定モードでも設定が可能なものについて、その内容が、第２設定モードにて対応する動作条件に反映される。従って、ユーザは、第１設定モードでの動作条件の設定後又は設定途中で、煩雑な操作を回避するべく第２設定モードへ移行した場合であっても、第１設定モードにて設定した内容を改めて設定し直す必要がない。又、第１設定モードでの動作条件の設定後又は設定途中で、第２設定モードへ切り替えられた場合、それまでに設定された動作条件のうち第２設定モードで設定が可能なもののみが反映され、不可能なものはリセットされて反映されない。よって、ユーザの意図から外れた動作条件で画像形成装置が動作することが防止される。
【００１３】
上記構成において、制御部は、上記処理（iii）に代えて処理（iv）を実行してもよい。即ち、操作部にて第１設定モードが選択されると共にその第１設定モードで可能な条件設定が実行された後、操作部にて第２設定モードが選択されたとき、制御部は、処理（iv）において、第１設定モードの選択時に設定された動作条件の内容を何れも、第２設定モードで設定可能な動作条件に反映させずにリセットしてもよい。
【００１４】
この構成によれば、第１設定モードでの動作条件の設定後又は設定途中で、第２設定モードへ切り替えられた場合、それまでに設定された動作条件のうち第２設定モードでは設定が不可能なものも含め、全ての内容がリセットされてデフォルトに戻される。よって、ユーザの意図から外れた動作条件で画像形成装置が動作することが防止される。又、ユーザにとって、第２設定モードに移行したときに意図的に設定内容をリセットしなければならないといった煩わしい操作が不要となる。
【００１５】
制御部は、上記処理（iii）及び（iv）を、操作部から入力される指令に応じて択一的に実行してもよい。
【００１６】
上記画像形成装置の他の具体的な構成において、制御部は、処理（I）及び（II）を実行する。即ち、処理（I）において、制御部は、第１設定モードで設定可能となる動作条件を、選択可能な状態で、操作部が持つ表示部に表示させる。その後、処理（II）において、制御部は、表示部に表示させた動作条件のうち、操作部にて選択された動作条件を、第２設定モードで設定可能な動作条件として登録する。
【００１７】
この構成によれば、第２設定モードにて設定可能な動作条件をユーザが選択して登録することが可能となる。よって、ユーザにとって設定頻度の高い動作条件が第２設定モードに登録されることで、そのユーザにとっての操作性が向上することになる。
【００１８】
上記画像形成装置の更なる他の具体的な構成において、第２設定モードの選択時に、操作部が持つ表示部には、設定可能な動作条件ごとにアイコンが表示される。そして、制御部は、操作部から入力される指令に応じて、表示部に表示させる１つの画面にアイコンの全てを配するか、又は、表示部に表示させる複数の画面に分けてアイコンを配する。
【００１９】
この構成によれば、アイコンの数が増えたとしても、アイコンのサイズを小さくする必要がない。よって、アイコンの視認性を低下させることなく、複数のアイコンを第２設定モードにて表示させることが可能になる。
【発明の効果】
【００２０】
本発明に係る画像形成装置によれば、動作条件の設定に関して高い操作性が実現される。
【図面の簡単な説明】
【００２１】
【図１】本発明の実施形態に係る画像形成装置を概念的に示した斜視図である。
【図２】画像形成装置のブロック図である。
【図３】タッチディスプレイパネルに表示される第１選択画面を示した概念図である。
【図４】コピー機能についての通常設定画面を示した概念図である。
【図５】タッチディスプレイパネルに表示される第２選択画面を示した概念図である。
【図６】コピー機能についての簡易設定画面を示した概念図である。
【図７】第１実施形態にて操作制御部が実行する処理と対応させて示した（ａ）簡易設定画面の概念図及び（ｂ）通常設定画面の概念図である。
【図８】第２実施形態にて制御部が実行する処理を示したフローチャートである。
【図９】第２実施形態にて操作制御部が実行する処理と対応させて示した（ａ）通常設定画面の概念図及び（ｂ）簡易設定画面の概念図である。
【図１０】第３実施形態にて制御部が実行する処理を示したフローチャートである。
【図１１】第３実施形態にて操作制御部が実行する処理と対応させて示した（ａ）通常設定画面の概念図及び（ｂ）簡易設定画面の概念図である。
【図１２】第５実施形態にて操作制御部がタッチディスプレイパネルに表示させる登録画面を示した概念図である。
【図１３】第６実施形態にて操作制御部がタッチディスプレイパネルに表示させる簡易設定画面の（ａ）１つ目の画面の概念図及び（ｂ）２つ目の画面の概念図である。
【発明を実施するための形態】
【００２２】
以下、本発明の実施形態について、図面に沿って説明する。
【００２３】
［１］第１実施形態
［１−１］画像形成装置の構成
図１及び図２に示される様に、画像形成装置は、画像読取部１、給紙部２、画像処理部３、排紙部４、操作部５、記憶部６、制御部７、画像出力部８１、及び送受信部８２を備える。本実施形態において、画像形成装置は、様々な機能（コピー機能、ファクシミリ送信機能、スキャン機能、プリンタ機能、イメージ送信機能など）を持った複合機である。又、画像形成装置は、それが持つ機能ごとに複数の動作条件を設定することが可能なものである。尚、動作条件として、例えば、コピー機能で設定可能なコピー濃度、コピー倍率、コピー枚数、用紙サイズなどや、ファクシミリ送信機能で設定可能な宛先など、様々な条件が挙げられる。
【００２４】
画像読取部１は、原稿台に載置された原稿の画像を光学的に読み取ることにより、画像データを生成する。尚、画像読取部１は、自動原稿送り機構を備えていてもよい。
【００２５】
画像読取部１にて生成された画像データは、画像処理部３に入力される。尚、画像処理部３には、画像読取部１で生成された画像データに限らず、外部接続装置からネットワーク等を介して送受信部８２が取得した画像データが入力されてもよい。
【００２６】
画像処理部３は、選択された機能及び設定された動作条件に応じて、補正処理やフィルタ処理等、様々な画像処理を画像データに施す。そして、画像処理後の画像データは、コピー機能やプリンタ機能が選択されている場合には画像出力部８１に入力され、ファクシミリ送信機能やスキャン機能、イメージ送信機能が選択されている場合には送受信部８２に入力される。
【００２７】
画像出力部８１は、入力された画像データに基づき電子写真方式の画像形成処理を行うと共に、給紙部２から供給される用紙に画像印刷を行う。画像印刷が施された用紙は、排紙部４に排出される。尚、用紙には、普通紙や印画紙等の紙材のシートに限らず、ＯＨＰフィルム等の樹脂材のシート、更にはその他の種々の材料から形成されたシートが含まれる。
【００２８】
送受信部８２は、ネットワークを介して画像データの送受信を行う。具体的には、送受信部８２は、パーソナルコンピュータ等の外部接続装置から画像データを受信する機能と、外部接続装置へ画像データを送信する機能とを備える。送信の例として、送受信部８２は、画像処理部３から入力された画像データを、ネットワーク等を介して外部接続装置へ送信する。
【００２９】
図３に示される様に、操作部５は、タッチディスプレイパネル５１と静電容量式タッチボタン５２とを含み、ユーザインタフェースとして機能する。即ち、操作部５は、ユーザからの操作指令が入力される入力部としての機能と、ユーザに対して設定画面や動作状況等の情報を与える表示部としての機能とを有する。一例として、タッチディスプレイパネル５１には、画像形成装置に発揮させる機能の選択操作に使用される選択画面や、動作条件の設定操作に使用される設定画面等が表示される。尚、操作部５は、タッチディスプレイパネル５１又は静電容量式タッチボタン５２の何れか一方のみで構成されてもよい。又、静電容量式タッチボタン５２は、複数設けられていてもよい。
【００３０】
記憶部６には、画像形成装置の各部の制御に用いられる制御パラメータの設定値等が記憶されている。又、記憶部６には、タッチディスプレイパネル５１に表示させる設定画面用の画像データ等が記憶されている。そして、制御部７は、操作部５にて選択された機能及び設定された動作条件の内容に応じて、画像形成装置の各部を制御する。具体的には、制御部７は、操作部５での設定内容を満たすことのできる制御パラメータの設定値等を記憶部６から読み出し、読み出した設定値等に基づいて画像形成装置の各部を制御する。尚、制御部７には、画像形成装置の制御を統括するメイン制御部７１と、操作部５を主に制御する操作制御部７２とが含まれている。
【００３１】
［１−２］画像形成装置の制御
次に、画像形成装置において制御部７が行う制御について説明する。以下では、主に操作制御部７２が行う制御であって、画像形成装置に発揮させる機能の選択及び動作条件の設定に関連する制御について、詳細に説明する。
【００３２】
操作制御部７２は、図３に示される様に、第１選択画面をタッチディスプレイパネル５１に表示させる。この第１選択画面は、ユーザが通常の設定操作を行いたいときに使用される画面であり、第１選択画面には、画像形成装置が持つ機能ごとに、その機能についての通常設定画面を表示させるアイコンＩｎが配されている。図３に示された第１選択画面では、アイコンＩｎは、コピー機能、ファクシミリ送信機能（図中では、「ファクシミリ送信」が「ファックス」と略されている。）、及びスキャン機能の各々に対応するものである。尚、第１選択画面には、これらの機能に限定されない種々の機能に対応するアイコンＩｎが表示されてもよい。
【００３３】
第１選択画面にて何れかのアイコンＩｎが選択されたとき、操作制御部７２は、図４に示される様に、選択されたアイコンＩｎに対応する機能についての通常設定画面をタッチディスプレイパネル５１に表示させる。ここで、通常設定画面は、対象となっている機能に関する多くの動作条件について設定することを可能ならしめる画面である。そして、この通常設定画面では、設定可能な動作条件ごとに、その動作条件についての詳細設定画面を表示させるアイコンＩｃ１や、入力等により動作条件の設定が実行される設定画像Ｉｐ１が表示される。
【００３４】
図４では、通常設定画面として、第１選択画面（図３参照）にてコピー機能のアイコンＩｎが選択されたときに表示される画面が示されている。そして、その通常設定画面において、設定画像Ｉｐ１は、コピー枚数の設定（数値入力）が可能な画像であり、アイコンＩｃ１は、コピー枚数以外の比較的設定頻度の高い動作条件の各々に対応するものである。尚、図４では、コピーカラー、原稿の向き、用紙サイズ、コピー面、コピー倍率、コピー濃度の各々についてアイコンＩｃ１が表示され、それら以外の動作条件にそれぞれ対応するアイコンＩｃ１は、「他の動作条件」と表記された１つのアイコンＩｃ０に集約されている。
【００３５】
通常設定画面にて何れかのアイコンＩｃ１が選択されたとき（アイコンＩｃ０の選択後、そのアイコンＩｃ０に集約されている何れかのアイコンＩｃ１が選択される場合を含む）、操作制御部７２は、選択されたアイコンＩｃ１に対応する動作条件の詳細設定画面をタッチディスプレイパネル５１に表示させる。この詳細設定画面では、操作制御部７２は、予め決められた複数の選択項目からの設定内容の選択や、数値や文字等の入力など、条件設定に関するタッチディスプレイパネル５１でのユーザ操作を可能にする。詳細設定画面にて設定された内容は、通常設定画面において、対応するアイコンＩｃ１に表記される。一方、動作条件の設定前においては、各動作条件は、予め決められたデフォルトの内容であり、アイコンＩｃ１には、対応する動作条件のデフォルトの内容が表記される（図４参照。「フルカラー」や「自動Ａ４」など）。
【００３６】
図３に示される様に、第１選択画面には、アイコンＩｎに加えて、タッチディスプレイパネル５１の表示画面を第１選択画面から第２選択画面へ切り替えるボタンＢ１が表示される。そして、第１選択画面にてボタンＢ１が選択されたとき、操作制御部７２は、図５に示される様に、第２選択画面をタッチディスプレイパネル５１に表示させる。この第２選択画面は、ユーザが簡易な設定操作を行いたいときに使用される画面であり、第２選択画面には、画像形成装置が持つ機能ごとに、その機能についての簡易設定画面を表示させるアイコンＩｓが配されている。図５に示された第２選択画面では、アイコンＩｓは、コピー機能、ファクシミリ送信機能（図中では、「ファクシミリ送信」が「ファックス」と略されている。）、及びスキャン機能の各々に対応するものである。尚、第２選択画面には、これらの機能に限定されない種々の機能に対応するアイコンＩｓが表示されてもよい。
【００３７】
第２選択画面にて何れかのアイコンＩｓが選択されたとき、操作制御部７２は、図６に示される様に、選択されたアイコンＩｓに対応する機能についての簡易設定画面をタッチディスプレイパネル５１に表示させる。ここで、簡易設定画面は、対象となっている機能に関する動作条件の幾つかについてのみ設定することを可能ならしめる画面である。そして、この簡易設定画面では、設定可能な動作条件ごとに、その動作条件についての詳細設定画面を表示させるアイコンＩｃ２や、入力等により動作条件の設定が実行される設定画像Ｉｐ２が表示される。一例として、簡易設定画面には、ユーザにとって設定頻度の高い動作条件に対応するアイコンＩｃ２が表示される
図６では、簡易設定画面として、第２選択画面（図５参照）にてコピー機能のアイコンＩｓが選択されたときに表示される画面が示されている。そして、その簡易設定画面において、設定画像Ｉｐ２は、コピー枚数の設定（数値入力）が可能な画像であり、アイコンＩｃ２は、コピー枚数以外の動作条件の各々に対応するものである。図６では、用紙サイズ、コピー面、コピー倍率、コピー濃度の４つの動作条件にそれぞれ対応するアイコンＩｃ２のみが、簡易設定画面に表示されている。尚、簡易設定画面には、これらの動作条件に限定されない種々の動作条件に対応するアイコンＩｃ２が表示されてもよい。
【００３８】
そして、簡易設定画面（図６参照）では、アイコンＩｃ２の視認性を向上させるべく、アイコンＩｃ２のサイズが、通常設定画面（図４参照）に表示されるアイコンＩｃ１のサイズより大きくなっている。又、簡易設定画面では、設定画像Ｉｐ２への数値入力を容易にするべく、設定画像Ｉｐ２の入力欄のサイズが、通常設定画面に表示される設定画像Ｉｐ１の入力欄のサイズより大きくなっている。又、この入力欄の箇所がタッチされることにより、設定画像Ｉｐ２の一部としてタッチディスプレイパネル５１に数値入力用のテンキーが表示され、入力欄への数値入力が可能となる。
【００３９】
簡易設定画面にて何れかのアイコンＩｃ２が選択されたとき、操作制御部７２は、選択されたアイコンＩｃ２に対応する動作条件の詳細設定画面をタッチディスプレイパネル５１に表示させる。この詳細設定画面では、操作制御部７２は、予め決められた複数の選択項目からの設定内容の選択や、数値や文字等の入力など、条件設定に関するタッチディスプレイパネル５１でのユーザ操作を可能にする。詳細設定画面にて設定された内容は、簡易設定画面において、対応するアイコンＩｃ２に表記される。一方、動作条件の設定前においては、各動作条件は、予め決められたデフォルトの内容であり、アイコンＩｃ２には、対応する動作条件のデフォルトの内容が表記される（図６参照。「自動Ａ４」や「片面→片面」など）。
【００４０】
図５に示される様に、第２選択画面には、アイコンＩｓに加えて、タッチディスプレイパネル５１の表示画面を第２選択画面から第１選択画面へ切り替えるボタンＢ２が表示される。そして、第２選択画面にてボタンＢ２が選択されたとき、操作制御部７２は、第１選択画面（図３参照）をタッチディスプレイパネル５１に表示させる。
【００４１】
この様に、操作制御部７２は、機能ごとに、多くの動作条件についてタッチディスプレイパネル５１にて設定することが可能な第１設定モードと、動作条件の幾つかについてのみタッチディスプレイパネル５１にて設定することが可能な第２設定モードとの択一的な選択を、タッチディスプレイパネル５１にて可能にさせている。ここで、第１設定モードの状態は、タッチディスプレイパネル５１に表示される通常設定画面にて実現され、第２設定モードの状態は、タッチディスプレイパネル５１に表示される簡易設定画面にて実現される。
【００４２】
この様な２つのモードを実現した上で更に、操作制御部７２は、機能ごとの動作条件の設定に関し、第１設定モードと第２設定モードとの間でのモードの移行を可能にしている。具体的には、操作制御部７２は、機能ごとに、通常設定画面と簡易設定画面との間での画面の切り替えを可能にしている。
【００４３】
より具体的には、図４に示される様に、通常設定画面には、対象となっている機能に関して、表示画面を簡易設定画面へ切り替えるボタンＢｃ１が表示される。そして、通常設定画面にてボタンＢｃ１が選択されたとき、操作制御部７２は、タッチディスプレイパネル５１での表示画面を簡易設定画面（図６参照）へ切り替える。又、図６に示される様に、簡易設定画面には、対象となっている機能に関して、表示画面を通常設定画面へ切り替えるボタンＢｃ２が表示される。そして、簡易設定画面にてボタンＢｃ２が選択されたとき、操作制御部７２は、タッチディスプレイパネル５１での表示画面を通常設定画面（図４参照）へ切り替える。
【００４４】
そして、操作制御部７２は、この様なモード間での移行を可能した上で、更に次の様な処理を行う。即ち、簡易設定画面（図６参照）にて動作条件の設定が実行された後、その簡易設定画面にてボタンＢｃ２が選択されて表示画面が通常設定画面へ切り替わったとき、操作制御部７２は、図７（ａ）及び（ｂ）に示される様に、簡易設定画面で設定された動作条件の内容を、通常設定画面で設定可能な動作条件のうちの対応するものに反映させる。
【００４５】
図７（ａ）では、簡易設定画面にてコピー倍率が８０％に設定された場合（他の動作条件についてはデフォルトの内容のまま）が示され、図７（ｂ）では、簡易設定画面での設定後、表示画面が通常設定画面へ切り替わった場合が示されている。そして、図７（ａ）及び（ｂ）では、通常設定画面にてコピー倍率のアイコンＩｃ１に表記される設定内容（図７（ｂ）参照）が、簡易設定画面にてコピー倍率のアイコンＩｃ２に表記された設定内容（図７（ａ）参照）と８０％で一致していることが示されており、これにより、通常設定画面にて設定内容が反映されたことが分かる。
【００４６】
ここで、上述した第１設定モード及び第２設定モードとの関係で説明すると、操作制御部７２が実行する上記処理は、次の様に把握される。即ち、タッチディスプレイパネル５１にて第２設定モードが選択されると共にその第２設定モードで可能な条件設定が実行された後、タッチディスプレイパネル５１にて第１設定モードが選択されたとき、操作制御部７２は、第２設定モードの選択時に設定された動作条件の内容を、第１設定モードで設定可能な動作条件のうちの対応するものに反映させる。
【００４７】
操作制御部７２の上記処理によれば、簡易設定画面での動作条件の設定後又は設定途中で、表示画面が通常設定画面へ切り替えられた場合であっても、それまでに設定された動作条件の内容は、リセットされることなく、通常設定画面で設定可能な動作条件のうちの対応するものに反映される。従って、通常設定画面への移行後、ユーザは、簡易設定画面にて設定した内容を改めて設定し直す必要がない。よって、画像形成装置において、動作条件の設定に関して高い操作性が実現される。
【００４８】
［２］第２実施形態
上記画像形成装置において、操作制御部７２を含む制御部７は、図８に示される様な処理を行ってもよい。即ち、通常設定画面（図４参照）にて動作条件の設定が実行された後（図８のステップＳ１１及びＳ１２）、その通常設定画面にてボタンＢｃ１が選択されて表示画面が簡易設定画面へ切り替わったとき（図８のステップＳ１３にて「Ｙｅｓ」と判断したとき）、操作制御部７２は、図９（ａ）及び（ｂ）に示される様に、簡易設定画面で設定可能な動作条件に対し、通常設定画面で設定された動作条件のうちの対応するものの内容を反映させる（図８のステップＳ１４及びＳ１５の実行）。このとき、操作制御部７２は、通常設定画面で設定された動作条件のうち、簡易設定画面へ内容を反映しなかったもの（不一致の動作条件）については、その内容をリセットしてデフォルトに戻す（図８のステップＳ１５）。
【００４９】
図９（ａ）では、通常設定画面にてコピー倍率が８０％に設定が行われると共にコピーカラーがモノクロに設定された場合が示され、図９（ｂ）では、通常設定画面での設定後、表示画面が簡易設定画面へ切り替わった場合が示されている。そして、図９（ａ）及び（ｂ）では、簡易設定画面にてコピー倍率のアイコンＩｃ２に表記される設定内容（図９（ｂ）参照）が、通常設定画面にてコピー倍率のアイコンＩｃ１に表記された設定内容（図９（ａ）参照）と８０％で一致していることが示されており、これにより、簡易設定画面にて設定内容が反映されたことが分かる。このとき、コピーカラーは、デフォルトであるフルカラーの設定に戻される。
【００５０】
ここで、上述した第１設定モード及び第２設定モードとの関係で説明すると、操作制御部７２が実行する上記処理は、次の様に把握される。即ち、タッチディスプレイパネル５１にて第１設定モードが選択されると共にその第１設定モードで可能な条件設定が実行された後、タッチディスプレイパネル５１にて第２設定モードが選択されたとき、操作制御部７２は、第２設定モードで設定可能な動作条件に対し、第１設定モードの選択時に設定された動作条件のうちの対応するものの内容を反映させる。
【００５１】
操作制御部７２の上記処理によれば、通常設定画面での動作条件の設定後又は設定途中で、表示画面が簡易設定画面へ切り替えられた場合、それまでに設定された動作条件のうち簡易設定画面では設定が不可能なものについては、内容がリセットされてデフォルトに戻される。ここで、その内容がリセットされずに残されたとすれば、ユーザにとっては、残ったままの内容が、簡易設定画面にて動作条件を設定する過程で意図するものから外れてしまった場合であっても設定し直すことができず、再び通常設定画面に戻らざるを得なくなる。又、通常設定画面に戻らずにそのまま画像形成装置にコピー等の動作を実行させた場合、ユーザの意図から外れた動作条件で画像形成装置が動作することになる。一方、第２実施形態の上記処理によれば、通常設定画面に設定された動作条件のうち簡易設定画面では設定が不可能なものについては、内容がリセットされてしまうものの標準的なもの（デフォルトの内容）に戻るので、画像形成装置の動作がユーザの意図するものから大きく外れることはない。又、ユーザにとって、簡易設定画面に移行したときに意図的に設定内容をリセットしなければならないといった煩わしい操作が不要となる。
【００５２】
更に、操作制御部７２の上記処理によれば、表示画面が簡易設定画面へ切り替えられた場合、通常設定画面で設定された動作条件のうち簡易設定画面でも設定が可能なものについて、その内容が、簡易設定画面にて対応する動作条件に反映される。従って、ユーザは、通常設定画面での動作条件の設定後又は設定途中で、煩雑な操作を回避するべく表示画面を簡易設定画面へ切り替えた場合であっても、通常設定画面にて設定した内容を改めて設定し直す必要がなく、又、必要に応じて確認及び修正を行うことが容易である。
【００５３】
よって、画像形成装置において、動作条件の設定に関して高い操作性が実現される。
【００５４】
［３］第３実施形態
第２実施形態の画像形成装置において、操作制御部７２を含む制御部７は、図１０に示される様な処理を行ってもよい。即ち、表示画面が通常設定画面から簡易設定画面へ切り替えられた場合、操作制御部７２は、図１１（ａ）及び（ｂ）に示される様に、通常設定画面で設定された動作条件の中に簡易設定画面での設定が可能なものが含まれていたとしても、通常設定画面での設定内容を、簡易設定画面に反映させずに全てリセットしてもよい（図１０のステップＳ１６）。
【００５５】
図１１（ａ）では、通常設定画面にてコピー倍率が８０％に設定が行われると共にコピーカラーがモノクロに設定された場合が示され、図１１（ｂ）では、通常設定画面での設定後、表示画面が簡易設定画面へ切り替わった場合が示されている。そして、図１１（ａ）及び（ｂ）では、通常設定画面にてコピー倍率のアイコンＩｃ１に表記されている設定内容（図１１（ａ）参照）が８０％である一方で、簡易設定画面にてコピー倍率のアイコンＩｃ２に表記される設定内容（図１１（ｂ）参照）が１００％となっていることが示されており、これにより、簡易設定画面での設定（反映）が可能なものであってもリセットされたことが分かる。又、コピーカラーは、デフォルトであるフルカラーの設定に戻される。
【００５６】
簡易設定画面では、設定可能な動作条件の数が通常設定画面で設定可能な動作条件の数より少ないため、全ての設定内容がリセットされたとしても、ユーザに対して煩わしい操作を改めて強要することにはならない。
【００５７】
又、操作制御部７２は、通常設定画面で設定された動作条件のうちの簡易設定画面でも設定が可能なものについて、その内容を、簡易設定画面にて対応する動作条件に反映させる処理と、内容を反映させずにリセットする処理とを、タッチディスプレイパネル５１から入力される指令に応じて択一的に実行してもよい。一例として、操作制御部７２は、通常設定画面から簡易設定画面への移行時に、反映させるか否かをユーザに問う画面をタッチディスプレイパネル５１に表示させ、その画面にて入力される指令に応じて上記２つの処理を択一的に実行する。
【００５８】
［４］他の実施形態
［４−１］第４実施形態
上記第２実施形態においては、通常設定画面での動作条件の設定後又は設定途中で、表示画面が簡易設定画面へ切り替えられた場合、それまでに設定された動作条件のうち簡易設定画面では設定が不可能なものについては、内容がリセットされてデフォルトに戻される。これは、設定し直すことのできない内容がユーザの意図から外れてしまったときに生じる操作の煩わしさを回避するものである。
【００５９】
その一方で、簡易設定画面で設定し直すことのできない内容であっても、ユーザが意図的にそれを残したいと考えるものについては、リセットされずに残っている方が、ユーザの意図を詳細に反映させた動作条件で画像形成装置を動作させることが可能となるため、ユーザにとっては好ましい。
【００６０】
よって、通常設定画面（図４参照）にて動作条件の設定が実行された後、その通常設定画面にてボタンＢｃ１が選択されて表示画面が簡易設定画面へ切り替わったとき、タッチディスプレイパネル５１から入力される指令に応じて、操作制御部７２は、次の様な処理を行ってもよい。即ち、操作制御部７２は、通常設定画面で設定された動作条件のうち簡易設定画面では設定が不可能なもの（設定し直すことのできないもの）について、内容をリセットせずにそのまま残してもよい。一例として、操作制御部７２は、通常設定画面から簡易設定画面への移行時に、簡易設定画面での設定が不可能なものをリセットするか否かをユーザに問う画面をタッチディスプレイパネル５１に表示させ、その画面にて入力される指令に応じて択一的に処理を実行する。
【００６１】
他の例として、操作制御部７２は、通常設定画面から簡易設定画面への移行時に、簡易設定画面での設定が不可能なもののうちリセットせずに残すものをユーザに選択させる画面をタッチディスプレイパネル５１に表示させ、その画面にて選択された動作条件の内容を残す一方で、選択されなかった他の動作条件の内容をリセットしてもよい。
【００６２】
［４−２］第５実施形態
上記画像形成装置において、操作制御部７２は、簡易設定画面にて設定可能な動作条件をユーザが登録できる様、次の様な処理を実行してもよい。図１２に示される様に、操作制御部７２は先ず、登録画面において、通常設定画面で設定可能となる動作条件のうち、簡易設定画面でも設定可能にすることができる全ての動作条件を、選択可能な状態で、タッチディスプレイパネル５１に表示させる。図１２では、登録画面は、コピー機能についてのものであり、簡易設定画面に登録可能な８つの動作条件が示されている。尚、登録画面に表示させる動作条件は、これらに限定されるものではなく、種々の変更が可能である。
【００６３】
登録画面において、これに表示された動作条件の全て又は幾つかが選択されると共に決定されたとき（例えば、図６において登録ボタンが押されたとき）、操作制御部７２は、選択された動作条件を、簡易設定画面で設定可能な動作条件として登録する。登録された動作条件は、簡易設定画面にてアイコンＩｃ２で表示されると共に選択が可能となる（図６参照）。図６に示される簡易設定画面は、図１２に示された登録画面において、用紙サイズ、コピー面、コピー倍率、コピー濃度の４つの動作条件が選択されると共に登録されたときに表示されるものである。
【００６４】
操作制御部７２の上記処理によれば、簡易設定画面にて設定可能な動作条件をユーザが選択して登録することが可能となる。よって、ユーザにとって設定頻度の高い動作条件が簡易設定画面に登録されることで、そのユーザにとっての操作性が向上することになる。
【００６５】
［４−３］第６実施形態
上記画像形成装置において、操作制御部７２は、１つの画面で簡易設定画面を構成し、その画面に全てのアイコンＩｃ２が配してもよいし（図６参照）、相互に移行することが可能な複数の画面で簡易設定画面を構成し、それらの画面に分けてアイコンＩｃ２を配してもよい（図１３（ａ）及び（ｂ）参照）。図１３（ａ）及び（ｂ）はそれぞれ、簡易設定画面が２つの画面で構成されたときのそれらの画面を示したものであり、２つの画面に分けて８つのアイコンＩｃ２が４つずつ配されている。又、２つの画面間の移行が、ボタンＢ３及びＢ４の選択時に実行される。尚、簡易設定画面の構成、及びアイコンＩｃ２の配置は、これに限定されるものではなく、種々の変更が可能である。
【００６６】
操作制御部７２の上記処理によれば、アイコンＩｃ２の数が増えたとしても、アイコンＩｃ２のサイズを小さくする必要がない。よって、アイコンＩｃ２の視認性を低下させることなく、複数のアイコンＩｃ２を簡易設定画面に表示させることが可能になる。
【００６７】
［４−４］第７実施形態
上述した操作制御部７２が行う処理は、画像形成装置に制御プログラムを実行させることにより、実現されてもよい。そして、その様な制御プログラムは、読み取り可能な状態で記録媒体（ハードディスクやメモリカード等）に記録されていてもよい。
【００６８】
上述の実施形態の説明は、すべての点で例示であって、制限的なものではないと考えられるべきである。本発明の範囲は、上述の実施形態ではなく、特許請求の範囲によって示される。更に、本発明の範囲には、特許請求の範囲と均等の意味及び範囲内での全ての変更が含まれることが意図される。
【符号の説明】
【００６９】
１  画像読取部
２  給紙部
３  画像処理部
４  排紙部
５  操作部
６  記憶部
７  制御部
５１  タッチディスプレイパネル
５２  静電容量式タッチボタン
７１  メイン制御部
７２  操作制御部
８１  画像出力部
８２  送受信部
Ｉｎ、Ｉｓ、Ｉｃ０、Ｉｃ１、Ｉｃ２  アイコン
Ｉｐ１、Ｉｐ２  設定画像
Ｂ１、Ｂ２、Ｂｃ１、Ｂｃ２、Ｂ３、Ｂ４  ボタン
【図１】
0006654016.tif 000002
【図２】
0006654016.tif 000003
【図３】
0006654016.tif 000004
【図４】
0006654016.tif 000005
【図５】
0006654016.tif 000006
【図６】
0006654016.tif 000007
【図７】
0006654016.tif 000008
【図８】
0006654016.tif 000009
【図９】
0006654016.tif 000010
【図１０】
0006654016.tif 000011
【図１１】
0006654016.tif 000012
【図１２】
0006654016.tif 000013
【図１３】
0006654016.tif 000014